(57)【要約】【課題】  車載用ＡＶ電子機器において、ポップアップ式の操作つまみを押し込んだ位置にしたときの操作を有効に利用する。【解決手段】  プッシュロック式のスイッチを有するロータリーエンコーダ２２と、マイクロコンピュータ２１とを設ける。マイクロコンピュータ２１は、スイッチの出力信号ＳSWをチェックすることにより、操作つまみ２２Ａが、ポップアップ位置に位置しているか収納位置に位置しているかを判別する。操作つまみ２２Ａがポップアップ位置にあるとき、第１の処理を実行し、操作つまみ２２Ａが収納位置に操作されたとき、第２の処理を実行する。【選択図】  図１
2005209422.tif 000002
【特許請求の範囲】
【請求項１】
ユーザにより操作される操作手段と、
制御回路と
を有し、
上記操作手段は、
操作つまみと、
スイッチ部と、
出力部と
を有し、
上記操作つまみは、押圧操作するごとに、ポップアップ位置と、押し込んだ位置とに交互に位置するとともに、
回動可能とされ、
上記スイッチ部は、上記操作つまみを押圧操作するごとにオンとオフとに交互に制御され、
上記出力部は、上記操作つまみをまわすことにより所定の出力信号を出力するものとされ、
上記制御回路は、上記スイッチ部の出力信号をチェックすることにより、上記操作つまみが、上記ポップアップ位置に位置しているか上記収納位置に位置しているかを判別し、
上記操作つまみが上記ポップアップ位置にあるとき、第１の処理を実行し、
上記上記操作つまみが上記収納位置に操作されたとき、第２の処理を実行する
ようにした車載用ＡＶ電子機器。
【請求項２】
請求項１に記載の車載用ＡＶ電子機器において、
上記操作手段が、プッシュロック式のスイッチを有するロータリーエンコーダとされ、
上記スイッチ部が、上記プッシュロック式のスイッチであり、
上記出力部が、上記ロータリーエンコーダのロータリーエンコーダ部である
ようにした車載用ＡＶ電子機器。
【発明の詳細な説明】
【技術分野】
【０００１】
この発明は、車載用ＡＶ電子機器に関する。
【背景技術】
【０００２】
カーオーディオ機器などの車載用のＡＶ電子機器として、安全上・安心上の観点から操作つまみにポップアップ機能を持たせたものがある。つまり、操作つまみを押すと、操作つまみが機器に収納され、もう一度押すと、操作つまみが機器から突出するものである。
【０００３】
このようなポップアップ機能によれば、機器を操作しないときには、操作つまみが機器から出っ張ることがなくなるので、安全運転の妨げとなることがなく、また、事故のときの被害を抑えることができる。
【０００４】
なお、先行技術文献として例えば以下のものがある。
【特許文献１】特開２００２−４１２２７号公報
【発明の開示】
【発明が解決しようとする課題】
【０００５】
ところが、これまでの車載用の電子機器においては、操作つまみのポップアップ機能を安全上・安心上の目的以外で利用することはなかった。
【０００６】
この発明は、このような点にかんがみ、ポップアップ機能を有する操作つまみに新たな機能ないし用途を付加できるようにするものである。
【課題を解決するための手段】
【０００７】
この発明においては、
ユーザにより操作される操作手段と、
制御回路と
を有し、
上記操作手段は、
操作つまみと、
スイッチ部と、
出力部と
を有し、
上記操作つまみは、押圧操作するごとに、ポップアップ位置と、押し込んだ位置とに交互に位置するとともに、
回動可能とされ、
上記スイッチ部は、上記操作つまみを押圧操作するごとにオンとオフとに交互に制御され、
上記出力部は、上記操作つまみをまわすことにより所定の出力信号を出力するものとされ、
上記制御回路は、上記スイッチ部の出力信号をチェックすることにより、上記操作つまみが、上記ポップアップ位置に位置しているか上記収納位置に位置しているかを判別し、
上記操作つまみが上記ポップアップ位置にあるとき、第１の処理を実行し、
上記上記操作つまみが上記収納位置に操作されたとき、第２の処理を実行する
ようにした車載用ＡＶ電子機器
とするものである。
【発明の効果】
【０００８】
この発明によれば、ロータリーエンコーダの操作つまみを収納位置に押し込んだときには、単に操作つまみが突出しなくなるだけでなく、他の処理が行われるので、ユーザの利便性が向上するとともに、ポップアップ機能のフィーチャとしての価値が向上する。また、ポップアップ機能の利用度増加による安全性も向上する。
【発明を実施するための最良の形態】
【０００９】
図１は、この発明を適用した車載用のオーディオ装置の一例を示し、符号１０はそのオーディオ信号回路である。このオーディオ信号回路１０は、この例においては、オーディオ信号の信号源としてＣＤプレーヤ（ＣＤドライブ装置）１１を有する。このＣＤプレーヤ１１からは、デジタルオーディオデータが取り出され、このデジタルオーディオデータが、ＤＳＰ１２に供給されて音量調整や音場補正などの処理が行われるとともに、左および右チャンネルのオーディオ信号Ｌ、ＲにＤ／Ａ変換され、この信号Ｌ、Ｒがアンプ１３を通じて左および右チャンネルのスピーカ１４Ｌ、１４Ｒに供給される。
【００１０】
また、図１のオーディオ装置は制御回路としてマイクロコンピュータ２１を有し、このマイクロコンピュータ２１には、ロータリーエンコーダ２２が接続される。この場合、ロータリーエンコーダ２２は、プッシュロック式のスイッチ付きとされる。
【００１１】
すなわち、ロータリーエンコーダ２２は、その操作つまみ２２Ａが、ロックタイプのプッシュ・プッシュ形式とされ、操作軸方向に押すごとに、押し込んだ位置と、ポップアップ位置（突出した位置）とに交互にとどまるとともに、時計方向および反時計方向に回すことができる構成とされている。そして、ロータリーエンコーダ２２は、図示はしないが、操作つまみ２２Ａの押圧操作によりオンオフされるスイッチ部と、回動操作により操作されるロターリーエンコーダ部とを有する。
【００１２】
そして、スイッチ部は、操作つまみ２２Ａが押し込んだ位置にあるとき、オフとなり、ポップアップ位置にあるとき、オンとなるスイッチ信号ＳSWが出力され、ロータリーエンコーダ部からは、操作つまみ２２Ａを回したときの方向および速度に対応して位相および周期が変化する１対のパルス信号ＳENCが出力される。なお、このようなロータリーエンコーダ２２として、周知のものを使用できるので、これ以上の説明は省略する。
【００１３】
さらに、他の操作ボタンあるいは操作つまみにより操作されるスイッチあるいはロータリーエンコーダ２３の出力がマイクロコンピュータ２１に供給される。また、ＣＤプレーヤ１１からこれにセットされているＣＤの曲名（トラック名）などの情報が取り出されてマイクロコンピュータ２１に供給される。
【００１４】
そして、マイクロコンピュータ２１において、ＣＤプレーヤ１１が再生する曲（トラック）などを指示する制御信号が形成され、この制御信号がＣＤプレーヤ１１に供給されるとともに、音量や音場などを制御するための制御信号が形成され、ＤＳＰ１２に供給される。さらに、マイクロコンピュータ２１からＣＤプレーヤ１１が再生するトラックの曲名やＤＳＰ１２の動作状態などを示す表示信号が取り出され、この表示信号がドライブ回路２４を通じてディスプレイ２５に供給される。
【００１５】
また、マイクロコンピュータ２１のＲＯＭ（図示せず）には、例えば図２に示すような内容のルーチン１００が用意される。このルーチン１００の詳細については後述するが、ルーチン１００は、スイッチ信号ＳSWがオンからオフになったとき、およびオフからオンになったとき、マイクロコンピュータ２１のＣＰＵ（図示せず）により実行されるものである。なお、図２のルーチン１００は、この発明に関係する部分を抜粋して示す。
【００１６】
図３は、オーディオ装置に対するロータリーエンコーダ２２の取り付け状態を示すもので、操作つまみ２２Ａは、オーディオ装置の前面パネル２９の透孔に臨んで設けられる。そして、実線が操作つまみ２２Ａのポップアップ状態を示すもので、このとき、操作つまみ２２Ａは、前面パネル２９から突出しているので、自由に回すことができる。また、スイッチ信号ＳSWはオンである。一方、破線が操作つまみ２２Ａを押し込んだ状態を示すもので、このとき、操作つまみ２２Ａは前面パネル２９とほぼ面一の状態で装置に収納される。また、スイッチ信号ＳSWはオフである。
【００１７】
このような構成において、操作つまみ２２Ａを押すと、スイッチ信号ＳSWがオンからオフ、あるいはオフからオンに変化するので、マイクロコンピュータ２１のＣＰＵの処理がルーチン１００のステップ１０１からスタートし、次にステップ１０２において、スイッチ信号ＳSWをチェックすることにより、操作つまみ２２Ａがポップアップ位置にあるか押し込んだ位置（収納位置）にあるかが判別される。
【００１８】
そして、ポップアップ位置にあるときには、処理はステップ１０２からステップ１１１に進み、このステップ１１１において、ＣＤプレーヤ１１から供給された曲名の情報にしたがって所定の表示信号が形成され、この表示信号がドライブ回路２４を通じてディスプレイ２５に供給される。この結果、ディスプレイ２５にはＣＤプレーヤ１１にセットされているＣＤの曲名がリスト形式（メニュー形式）に表示されるとともに、カーソルが表示される。そして、続くステップ１１２において、表示されたリストにおける曲名の曲（トラック）の選択待ちとなる。
【００１９】
そこで、操作つまみ２２Ａを回すと、エンコーダ信号ＳENCが変化するとともに、これがマイクロコンピュータ２１により処理され、リスト表示された曲名に対するカーソルの位置が変化していくとともに、このとき、カーソル位置の曲名のトラックの再生を指示する制御信号がＣＤプレーヤ１１に供給され、ＣＤプレーヤ１１からはカーソル位置の曲名のトラックのデジタルオーディオデータが取り出されてＤＳＰ１２に供給される。
【００２０】
したがって、操作つまみ２２Ａをまわすと、リスト表示された曲名のうち、任意の曲が選択されて再生されるとともに、操作つまみ２２Ａをまわすことにより、その再生される曲が切り換えられていくことになる。
【００２１】
そして、操作つまみ２２Ａを例えば３秒間まわさないでいると、処理はステップ１１２からステップ１１３に進み、このルーチン１００を終了する。
【００２２】
したがって、操作つまみ２２Ａを押してポップアップさせ、続いて操作つまみ２２Ａをまわせば、希望する曲を選択することができ、その状態のまま操作つまみ２２Ａをまわさないでいれば、希望する曲の再生が続行されることになり、希望する曲を聴くことができる。
【００２３】
一方、ステップ１０２において、操作つまみ２２Ａが押し込んだ位置にあるときには、処理はステップ１０２からステップ１２１に進み、このステップ１２１において、ディスプレイ２５の表示信号が形成されなくなり、ディスプレイ２５は表示がオフ（消灯）とされ、その後、処理はステップ１２２に進み、このルーチン１００を終了する。
【００２４】
したがって、操作つまみ２２Ａを押して収納位置に押し込んだときには、操作つまみ２２Ａがオーディオ装置の前面パネル２９から突出することがなくなるとともに、そのときの曲の再生に影響を与えることなく、ディスプレイ２５の表示をオフにすることができる。
【００２５】
こうして、上述のオーディオ装置においては、操作つまみ２２Ａを収納位置に押し込んだときには、単に操作つまみ２２Ａが突出しなくなるだけでなく、ディスプレイ２５の表示をオフとすることができ、ユーザの利便性が向上するとともに、ポップアップ機能のフィーチャとしての価値が向上する。また、ポップアップ機能の利用度増加による安全性も向上する。
【００２６】
図４に示す例においては、操作つまみ２２Ａをポップアップ位置にしたままイグニションキーを停止位置にしたとき、これが警告されるようにした場合である。
【００２７】
すなわち、図４において、オーディオ信号回路１０が図１のオーディオ信号回路１０と同様に構成される。そして、マイクロコンピュータ２１のＲＯＭには、そのＣＰＵが実行するプログラムの一部として、例えば図５に示すルーチン２００が用意される。このルーチン２００の詳細については後述するが、ルーチン２００は、後述する検出信号ＳACCが“Ｈ”から“Ｌ”になったとき、マイクロコンピュータ２１のＣＰＵ（図示せず）により実行されるものである。なお、図５のルーチン２００は、この発明に関係する部分を抜粋して示す。
【００２８】
また、符号３１はカーバッテリ、符号３２Ａ、３２Ｂはイグニションキーに連動してオンオフされるスイッチを示す。この場合、スイッチ３２Ａは、イグニションキーが停止位置およびアクセサリ位置にあるときオフとなり、走行位置および始動位置にあるときオンとなるものである。また、スイッチ３２Ｂは、イグニションキーが停止位置にあるときオフとなり、アクセサリ位置、走行位置および始動位置にあるときオンとなるものである。
【００２９】
そして、カーバッテリ３１から直流電圧ＶBATTが取り出され、この電圧ＶBATTがスイッチ３２Ａを通じて車両の電装系（図示せず）に供給される。また、バッテリ３１から得られる直流電圧ＶBATTが定電圧回路３４に供給されて安定した直流電圧ＶAVR1とされ、この電圧ＶAVR1がオーディオ信号回路１０および他の各部にそれらの電源電圧として供給される。さらに、バッテリ３１から出力される直流電圧ＶBATTが定電圧回路３５に供給されて例えば５Ｖの安定した直流電圧ＶAVR2とされ、この電圧ＶAVR2がマイクロコンピュータ２１にその電源電圧として供給される。
【００３０】
また、バッテリ３１に、電圧検出用として抵抗器３３とスイッチ３２Ｂとの直列回路が接続され、抵抗器３３とスイッチ３２Ｂとの接続点に、スイッチ３２Ｂのオンオフを示す検出信号ＳACCが取り出され、この検出信号ＳACCがマイクロコンピュータ２１に供給される。そして、マイクロコンピュータ３４において、検出信号ＳACCとロータリーエンコーダ２２からのスイッチ信号ＳSWとに基づいて所定の制御信号ＳPWRが形成され、この信号ＳPWRが定電圧回路３４に直流電圧ＶAVR1の制御信号として供給され、定電圧回路３４は、制御信号ＳPWR＝“Ｈ”のとき、その動作が許可されて直流電圧ＶAVR1が出力され、ＳPWR＝“Ｌ”のとき、その動作が禁止されてＶAVR1は出力されない。
【００３１】
このような構成において、イグニションキーが停止位置にある場合には、スイッチ３２Ｂがオフなので、ＳACC＝“Ｈ”であるが、この結果、ＳPWR＝“Ｌ”とされる。したがって、定電圧回路３４からは出力電圧ＶAVR1が出力されず、オーディオ回路１０には電源電圧ＶAVR1は供給されない。すなわち、電源オフの状態である。
【００３２】
しかし、イグニションキーを停止位置からアクセサリ位置（あるいは走行位置、始動位置）にすると、スイッチ３２ＢがオンになってＳACC＝“Ｌ”となるので、ＳPWR＝“Ｈ”とされ、定電圧回路３４からは出力電圧ＶAVR1が出力されるとともに、この電圧ＶAVR1がオーディオ回路１０にその電源電圧として供給される。すなわち、電源オンの状態である。
【００３３】
したがって、このとき、ロータリーエンコーダ２２を操作すれば、例えば図１の例により説明したように、その操作に対応してオーディオ信号回路１０が制御されるとともに、ディスプレイ２５の表示が変更される。
【００３４】
そして、イグニションキーをアクセサリ位置（あるいは走行位置、始動位置）から停止位置にすると、スイッチ３２ＢがオフになってＳACC＝“Ｈ”となるので、マイクロコンピュータ２１において、ＣＰＵの処理がルーチン２００のステップ２０１からスタートし、次にステップ２０２において、ロータリーエンコーダ２２のスイッチ部の出力信号ＳSWをチェックすることにより、操作つまみ２２Ａがポップアップ位置にあるか押し込んだ位置（収納位置）にあるかが判別される。
【００３５】
そして、操作つまみ２２Ａがポップアップ位置にあるときには、処理はステップ２０２からステップ２１１に進み、このステップ２１１において、マイクロコンピュータ２１がＤＳＰ１２を制御することによりＤＳＰ１２は警告音信号を形成する状態とされ、この警告音信号がアンプ１３を通じてスピーカ１４Ｌ、１４Ｒに供給され、その後、処理はステップ２１１に続いてステップ２０２に戻る。
【００３６】
したがって、操作つまみ２２Ａをポップアップ位置にしたままイグニションキーをアクセサリ位置から停止位置にすると、スピーカ１４Ｌ、１４Ｒから警告音が出力されることになる。また、このとき、マイクロコンピュータ２１においては、ステップ２０２とステップ２１１とが繰り返されていることになる。
【００３７】
そこで、操作つまみ２２Ａを押して収納位置にすると、これがステップ２０２により判別され、処理はステップ２０２からステップ２２１に進み、このステップ２２１において、ＤＳＰ１２が制御され、警告音信号の形成が中止され、それまでスピーカ１４Ｌ、１４Ｒから出力されていた警告音は出力されなくなる。そして、その後、処理はステップ２２２に進み、ＳPWR＝“Ｌ”とされて定電圧回路３４の出力電圧ＶAVR1は出力されなくなり、すなわち、オーディオ信号回路１０の電源はオフとされ、ステップ２２３によりルーチン２００を終了する。
【００３８】
なお、イグニションキーをアクセサリ位置から停止位置にした場合に、操作つまみ２２Ａが押し込んだ位置にあるときには、処理はステップ２１１を実行することなく、ステップ２０２からステップ２２１に進むので、警告音信号の形成されることがなく、したがって、スピーカ１４Ｌ、１４Ｒから警告音の出力されることはない。
【００３９】
こうして、図４に示す車載用オーディオ装置においては、操作つまみ２２Ａをポップアップ位置にしたままイグニションキーをアクセサリ位置から停止位置にすると、スピーカ１４Ｌ、１４Ｒから警告音が出力されるので、イグニションキーを切ったとき、操作つまみ２２Ａは常に収納位置となる。したがって、搭乗者が車両から離れたときに、操作つまみ２２Ａがポップアップしていて目立つということがなくなり、オーディオ装置の窃盗などに対して有利となる。
【００４０】
なお、上述においては、この発明をオーディオ装置およびそのＣＤプレーヤに適用した場合であるが、チューナ、ＭＤプレーヤ、ＨＤＤプレーヤ、テレビ受像機、ナビゲーション装置などの車載用ＡＶ電子機器にも適用することができる。
【００４１】
また、図１の例においては、操作つまみ２２Ａをポップアップ状態にしたとき、曲名のリストが表示され、その中から希望する曲を選択できるとしたが、他の項目、例えば、音量、再生音場の種類、放送局、番組などを表示して選択できるようにしてもよい。
【００４２】
〔略語の一覧〕
ＡＶ  ：Audio and Visual
ＣＤ  ：Compact Disc
ＣＰＵ：Central Processing Unit
Ｄ／Ａ：Digital to Analog
ＤＳＰ：Digital Signal Processor
ＨＤＤ：Hard Disk Drive
ＭＤ  ：Mini Disc
ＲＯＭ：Read Only Memory
【図面の簡単な説明】
【００４３】
【図１】この発明の一形態を示す系統図である。
【図２】この発明の一形態を示すフローチャートである。
【図３】一部の一例を示す断面図である。
【図４】この発明の他の形態を示す系統図である。
【図５】この発明の他の形態を示すフローチャートである。
【符号の説明】
【００４４】
１０…オーディオ信号回路、１１…ＣＤプレーヤ、１２…ＤＳＰ、１３…アンプ、１４Ｌおよび１４Ｒ…スピーカ、２１…マイクロコンピュータ、２２…ロータリーエンコーダ、２２Ａ…操作つまみ、２３…スイッチあるいはロータリーエンコーダ、２４…ドライブ回路、２５…ディスプレイ
【図１】
2005209422.tif 000003
【図２】
2005209422.tif 000004
【図３】
2005209422.tif 000005
【図４】
2005209422.tif 000006
【図５】
2005209422.tif 000007